(57)【要約】【課題】使用性、取扱性に優れるとともに優れた機能を発揮する、具体的には巻取り抵抗が極めて小さく、無駄なく撒餌することができるカゴ仕掛けを提供する。【解決手段】カゴ仕掛け１０は、カゴに詰め込んだ撒餌を水中で撒き散らす。撒餌を詰め込むカゴ体１１と、その一端側に取り付けた浮力体１２の長手方向の外側部に沿って、それらの両端部間を繋ぐように装架されたガイド部材１３を有する。ガイド部材１３に環を介して小型の浮き１７が連結され、浮き１７がガイド部材１３に沿って自在にスライド移動可能する。【選択図】図１
2006025717.tif 000002
【特許請求の範囲】
【請求項１】
カゴに詰め込んだ撒餌を水中で撒き散らすようにしたカゴ仕掛けであって、
撒餌を詰め込むカゴ体と、その一端側に取り付けた浮力体の長手方向の外側部に沿って、それらの両端部間を繋ぐように装架されたガイド部材を有し、このガイド部材に環を介して小型の浮きが連結され、該浮きが前記ガイド部材に沿って自在にスライド移動可能にしたことを特徴とするカゴ仕掛け。
【請求項２】
前記カゴ体は概略筒状を呈し、その筒の周面に沿って巻回された金属線材により胴部を構成するように組まれ、前記カゴ体の一端側に、水抵抗を軽減するように水の抜ける貫通穴が設けられた筒状の前記浮力体が固定され、前記ガイド部材の一端が前記貫通穴の中央部で金属線材により支持されることを特徴とする請求項１に記載のカゴ仕掛け。
【請求項３】
前記浮きにはスイベルが取り付けられ、該浮きは前記スイベルの重さ以上の浮力を有することを特徴とする請求項１または２に記載のカゴ仕掛け。
【請求項４】
着水後、前記浮力体は自動的に水面上に浮くとともに、前記カゴ体はその筒口が水面下で水底に向き、撒餌が撒かれる姿勢を保持し、前記浮きが前記ガイド部材を介して自動的に水面上へスライド移動するようにしたことを特徴とする請求項１〜３のいずれか１項に記載のカゴ仕掛け。
【発明の詳細な説明】
【技術分野】
【０００１】
本発明は、たとえば磯釣り等において撒餌をする際に使用するカゴ仕掛けに関するものである。
【背景技術】
【０００２】
この種の釣りでは撒餌をすることで魚を呼び寄せ、あるいは魚に適度な刺激を与えることで釣り易い環境を作り出すようにしている。この場合、カゴ状の撒餌具をポイントに投入し、カゴに詰め込んだ撒餌を水中で撒き散らすようにしている。
【発明の開示】
【発明が解決しようとする課題】
【０００３】
従来のカゴ仕掛けでは、釣り糸の巻上げにより引き寄せる際、特に高速になるとカゴ仕掛けが水中に潜り込んでしまうものが多かった。そのためカゴ仕掛け全体に水流が当り、釣り糸の巻上げ時に大きな抵抗が発生し、かなりの負担がかかる等の問題があった。また、これまでのカゴ仕掛けは撒餌を出そうとして、道糸を引くと筒口が手前になり、撒餌が出ないという不都合があった。
【０００４】
そこで本発明は、使用性、取扱性に優れるとともに優れた機能を発揮する、具体的には巻取り抵抗が極めて小さく、無駄なく撒餌することができるカゴ仕掛けを提供することを目的とする。
【課題を解決するための手段】
【０００５】
本発明のカゴ仕掛けは、カゴに詰め込んだ撒餌を水中で撒き散らすようにしたカゴ仕掛けであって、撒餌を詰め込むカゴ体と、その一端側に取り付けた浮力体の長手方向の外側部に沿って、それらの両端部間を繋ぐように装架されたガイド部材を有し、このガイド部材に環を介して小型の浮きが連結され、該浮きが前記ガイド部材に沿って自在にスライド移動可能にしたことを特徴とする。
【０００６】
また、本発明のカゴ仕掛けにおいて、前記カゴ体は概略筒状を呈し、その筒の周面に沿って巻回された金属線材により胴部を構成するように組まれ、前記カゴ体の一端側に、水抵抗を軽減するように水の抜ける貫通穴が設けられた筒状の前記浮力体が固定され、前記ガイド部材の一端が前記貫通穴の中央部で金属線材により支持されることを特徴とする。
【０００７】
また、本発明のカゴ仕掛けにおいて、前記浮きにはスイベルが取り付けられ、該浮きは前記スイベルの重さ以上の浮力を有することを特徴とする。
【０００８】
また、本発明のカゴ仕掛けにおいて、着水後、前記浮力体は自動的に水面上に浮くとともに、前記カゴ体はその筒口が水面下で水底に向き、撒餌が撒かれる姿勢を保持し、前記浮きが前記ガイド部材を介して自動的に水面上へスライド移動するようにしたことを特徴とする。
【発明の効果】
【０００９】
本発明によれば、カゴの姿勢は自動的に保持され、小型浮きも自動的に水面にスライド移動する。釣り糸巻上げ時は小型浮きのスイベル、ガイド部の環、ガイド部の浮力体側コーナー部の順に引かれ、カゴは水面を滑るように引っ張り寄せられる。また、浮力体にも貫通穴が設けてあるため、途中の波の壁による抵抗も最小限に抑えられ、巻上げ抵抗は格段に小さくなり、その取扱い性は極めて良好で格段に改善される。
【発明を実施するための最良の形態】
【００１０】
以下、図面に基き、本発明によるカゴ仕掛けにおける好適な実施の形態を説明する。
図１は、本発明の実施形態におけるカゴ仕掛けの構成例を示している。カゴ仕掛け１０は、撒餌を詰め込むカゴ体１１とカゴ体１１の一端側に取り付けた浮力体１２とを含み、カゴ体１１および浮力体１２の長手もしくは軸方向の外側部に沿って、それらの両端部間を繋ぐように装架されたガイド部材１３を有する。
【００１１】
カゴ体１１はたとえば概略筒状を呈し、その筒の周面に沿って巻回された金属線材により構成される。この例では螺旋状に巻回される金属線材１４とカゴ体１１の軸方向に沿って配置される金属線材１５からなり、これらの金属線材１４，１５を相互に溶接することにより円筒状に形成される。なお、金属線材１４，１５として、たとえば線径１ｍｍ程度のステンレス鋼線が使用される。
【００１２】
浮力体１２はたとえば概略お椀状あるいは裁頭円錐状の外形形状を有し、その中心部にはカゴ体１１の軸方向に沿って比較的大径の内孔１２ａが開設されている。浮力体１２は好適には木製であり、カゴ体１１の一端側に適度に入り込んだ端部（図１（ａ）では上端部）に各金属線材１５が直径方向に貫通し、これによりカゴ体１１の一端側に支持固定されるようになっている。浮力体１２の端部に貫通した金属線材１５は、その内孔１２ａ内で相互に結合される。
【００１３】
ガイド部材１３はたとえば概略弓形状を呈し、浮力体１２の内孔１２ａの中央部（金属線材の結合部）からカゴ体１１の他端側まで、カゴ体１１の軸を通る平面上でカゴ体１１を取り囲むように形成される。この場合、いずれかの金属線材１５をカゴ体１１の開口部から延出させ、すなわちその金属線材１５と一体に形成することができる。なお、ガイド部材１３も、線径１ｍｍ程度のステンレス鋼線を使用して形成される。
【００１４】
ガイド部材１３は浮力体１２の内孔１２ａから延出するが、その端部１３ａにはたとえばビニール製のパイプ１６が装着される。このパイプ１６は浮力体１２の軸方向外側に配置され、図示しない棒状の発光手段（蛍光材料により蛍光を発するように構成したものであってよい）を装着することができるようになっている。
【００１５】
ガイド部材１３には浮き１７が連結される。浮き１７として、たとえば球状もしくはほぼ球状の「玉浮き」等と称するものでよく、両端に環１７ａ，１７ｂを有している。一方の環１７ａにガイド部材１３が挿通し、これにより浮き１７はガイド部材１３に沿って端部１３ａから端部１３ｂまで自在にスライド移動可能である。また、他方の環１７ｂにはスナップ１８ａを有するスイベル１８が連結する。
【００１６】
カゴ仕掛け１０を実装する場合、図２等に示すようにスイベル１８のスナップ１８ａに釣り糸（道糸）１を通し、その釣り糸１には細径から太径の向きのウキゴム、太径から細径の向きのウキゴム２個を通した後、スイベル２を介してハリス３が結合される。スイベル２とスナップ１８ａの間には、棒状体の両端を前記ウキゴムで装着された止め具４（からまん棒等と称している）が装着される。
【００１７】
上記構成のカゴ仕掛け１０において、カゴ体１１に撒き餌を詰め込み、釣り糸１に実装されたカゴ仕掛け１０がキャスティングされる。キャスティング時には金属製のカゴ体１１と撒餌の自重が大きいため、かなり遠くまで飛ばすことができ、狙ったポイントに確実に投下することができ、カゴ釣りには極めて効果的である。
【００１８】
キャスティング後、カゴ仕掛け１０が着水すると、カゴ体１１の重さと浮力体１２の浮力により、図２（ａ）のように入水と同時に自動的に反転し、浮力体１２およびカゴ体１１が上下関係を保持して浮遊する。カゴ体１１の開口部が下側に位置することで、カゴ体１１の撒き餌が必ず水中に撒かれ、撒き餌が撒かれない等のトラブルが発生しない。
【００１９】
その際、浮き１７はガイド部材１３に沿ってスライドし、海面まで浮上する。スイベル１８のスナップ１８ａに挿通している釣り糸１は、浮き１７によって上方に引かれるため水面に持ち上げられた状態になる。この状態で釣り糸１を引くと、浮き１７がガイド部材１３の端部１３ａ側に移動し、図２（ａ）右側に示すように浮き１７のある側からカゴ仕掛け１０が引かれることになる。
【００２０】
なお、浮き１７を有していない場合を想定すると、たとえば図２（ｂ）のようにガイド部材１３の端部１３ｂ側からカゴ仕掛け１０が引かれることになる。この場合には、釣り糸１を引くとカゴ体１１や浮力体１２が水を受けることで、カゴ仕掛け１０は水中に引き込まれ、潜ってしまう。このような状態では釣り糸１の巻上げ時にカゴ仕掛け１０が受ける水による大きな抵抗が発生し、毎回３０ｍ前後の距離を巻き上げる人の多い釣り人にはかなり大きな負担になってしまう。
【００２１】
前述のように浮き１７の作用によりカゴ仕掛け１０は着水後、自動的に反転し、スムースに糸引き可能な状態に移行する。たとえば、カゴ体１１に比較的きつめに撒き餌を詰め込んだ場合でも竿（図示せず）でしゃくる（釣り糸１を大きく早く引く）ことにより、図３（ａ）のようにカゴ体１１に詰め込んだ撒き餌Ｍを残らず撒き散らすことができる。その訳は、釣り糸１を引くことで浮力体１２の内孔１２ａ内を水が通り、詰まっている撒き餌Ｍを押し出すからである。
【００２２】
また、巻上げ時は、釣り糸１の引きにより浮き１７のある側から引かれ、撒餌も残っていないためカゴ仕掛け１０は、図３（ｂ）のように水面上を滑るように移動する。そのためカゴ仕掛け１０が受ける水の抵抗は格段に小さくなり、巻上げ作業の負担を減少させることができる。この種のカゴ釣りでは３０〜１００ｍ近く流すこともあり、このような場合体力の消耗を有効に抑制する。一方、巻上げ作業の円滑化および容易化により短時間に手返しよく、何回もキャスティング可能になり、釣果を高めることができる。
【００２３】
上記の場合、カゴ体１１等の形成材料として線径１ｍｍ程度のステンレス鋼線を使用しているため、それらは型崩れすることなく丈夫で何年間も使用することができ、高い耐久性が保証される。
【００２４】
上述のように本発明の好適な実施形態を説明したが、本発明は上述した実施形態にのみ限定されるものではなく、必要に応じて適宜変更等が可能である。
たとえば、カゴ体１１あるいは浮力体１２は概略円形断面を有する例を説明したが、この場合に限らず、矩形断面等を採用可能である。また、カゴ体１１の形成材料やその線形の具体的数値も適宜変更可能であり、いずれの場合も上記実施形態と同様な作用効果を得ることができる。
【００２５】
また、図４（ａ）の例に示すようにカゴ体１１と浮力体１２を離隔配置し、図４（ｂ）のように浮力体１２を短円筒状に形成し、さらに図４（ｃ）のようにカゴ体１１および浮力体１２の軸方向長さを長くするとともに、ガイド部材１３を滑らかな弓形状にしてもよい。また、カゴ体１１は合成樹脂材等により複数の孔が開設された円筒状に形成することもできる。
【図面の簡単な説明】
【００２６】
【図１】本発明の実施形態におけるカゴ仕掛けの代表的構成例を示す図である。
【図２】本発明の実施形態におけるカゴ仕掛けの作用を示す図である。
【図３】本発明の実施形態におけるカゴ仕掛けの作用を示す図である。
【図４】本発明の実施形態におけるカゴ仕掛けの変形例を示す図である。
【符号の説明】
【００２７】
１０  カゴ仕掛け
１１  カゴ体
１２  浮力体
１３  ガイド部材
１４，１５  金属線材
１６  パイプ
１７  浮き
１８  スイベル
【図１】
2006025717.tif 000003
【図２】
2006025717.tif 000004
【図３】
2006025717.tif 000005
【図４】
2006025717.tif 000006